(57)【要約】【課題】所望の文字や図柄等の形状を持つ光が、表面層に浮かび上がる戸を提供する。【解決手段】突板１ーＰＥＴ樹脂シート２ーファイバーボード３ー反り防止シート４ー発光装置５ー背板６の順に構成された戸であって、ファイバーボード３は所望の形状なる開口部３ａを、発光装置５はＬＥＤ光源５ａを備える。突板１の背後からＬＥＤ光源５ａを介して投光すれば、ＭＤＦ３の開口部３ａの形状が突板１の表面に浮かび上がる。文字等を表示させることで有意なサインを周知させることができる。【選択図】図１
2007271862.tif 000002
【特許請求の範囲】
【請求項１】
背板(6)と、発光装置(5)と、ファイバーボード(3)と、ＰＥＴ樹脂シート(2)と、突板(1)とが、この順に固定されており、前記発光装置(5)を発光させることによって前記突板(1)の表面に所望のパターンを浮かび上がらせるように発光させることが可能なパターン発光機能付き戸であって、
前記ファイバーボード(3)が前記発光装置(5)と対向する側の面に、繊維質を含む反り防止シート(4)を固定しており、
前記ＰＥＴ樹脂シート(2)、ファイバーボード(3)、反り防止シート(4)はほぼ等しい大きさに構成され、
前記ファイバーボード(3)には所望の発光させたいパターンの形状に開口部(3a)が形成されており、
前記発光装置(5)はＬＥＤ光源(5a)を備えており、
前記発光装置(5)は、前記背板(6)上に配置され、かつ、前記ファイバーボード(3)の開口部(3a)に投光できる位置に固定されており、
前記ＬＥＤ光源(5a)を点灯することで、前記ＬＥＤ光源(5a)から突板(1)方向に進行する光が、前記反り防止シート(4)、前記ファイバーボード(3)の開口部(3a)、前記ＰＥＴ樹脂シート(2)、前記突板(1)の順に透過され、これにより前記開口部(3a)の形状に従って光のパターンが突板(1)上に表示されるよう構成されてなることを特徴とするパターン発光機能付き戸。
【請求項２】
光のパターンが点滅、または一定時間経過後に自動消灯するように構成されていることを特徴とする請求項１に記載のパターン発光機能付き戸。
【請求項３】
前記反り防止シート(4)が、紙製シートとＰＥＴ樹脂製シートから構成される多層シートであることを特徴とする請求項１または請求項２に記載のパターン発光機能付き戸。
【請求項４】
前記ＬＥＤ光源(5a)は、前記反り防止シート(4)の主面とほぼ平行になるよう配列され、
前記ＬＥＤ光源(5a)からの光が、前記突板(1)方向へほぼ直向されることを特徴とする請求項１から請求項３のいずれか一に記載のパターン発光機能付き戸。
【請求項５】
前記発光装置(15)に導光板(15c)を備え、
前記導光板(15c)は、前記反り防止シート(4)に面する発光面(15e)と、前記発光面(15e)と垂直な側面(15f)を備え、
前記側面(15f)を、ＬＥＤ光源(15a)の光入射面とすることを特徴とする請求項１から請求項３のいずれか一に記載のパターン発光機能付き戸。
【発明の詳細な説明】
【技術分野】
【０００１】
本発明は、文字、図柄等の所望のパターンの光を木製の表層に浮かび上がらせることが可能なパターン発光機能付き戸に関するものである。
【背景技術】
【０００２】
従来、戸は、空間域を区別したり、部屋の内外を遮断する役割を果たしてきた。戸に開口部や透過部がある場合は、その部分を通して戸の向こう側の様子を覗うことができる。しかし、戸に開口部や透過部がない場合、戸を挟んでこちら側とあちら側が遮断される。よって会議室のように部屋の内部を見られたくない場合、安眠室など孤立した防音空間が望ましい場合は、完全に閉塞した戸が好適である。
【０００３】
しかしながら、閉塞した戸の場合は、外から部屋内の様子を覗うことができない。よって部屋内の状況を確認したい時、ノックや声かけをしたり、チャイムを鳴らしたりして部屋内の反応を待つ。このため部屋内で反応を返す人は作業を中断されることがあった。また望まれないタイミングで戸を開けてしまうこともあった。
【０００４】
部屋内の様子をある程度機密にしつつ、部屋の使用または不使用を知らせる戸として、戸に小窓を設けたものがある。部屋の電気の明かりが小窓からこぼれ、その小窓の通過光により部屋が使用中であることに気づく。しかし、この戸だと部屋内の電気の照明が判断基準であるため、電気をつけずに部屋を使用している場合、電気の照明が暗い場合、または、照明されてはいるが部屋は使用されていない場合、その判断を誤ってしまうことがあった。
【０００５】
ところで、有意な文字や図柄等を周囲に知らせる手段として、電飾が用いられる。電飾は、電球または放電管で物体の輪郭を表すようにした装飾である。電飾を点灯させると、サイン部から光が放たれサインが目立つ。しかし、消灯してもサイン部の輪郭が存在している。このように電飾を利用したサイン部では常時サインパターンが露出するため、使用目的が限られていた。
【０００６】
ところで、天然木の木目模様、色模様を透過光を利用して見ることのできる天然木質光透過性素材が開発されている（特許文献１参照）。図６は、このような従来例１として天然木質光透過性素材１１１の外観斜視図を、図７は図６の天然木質光透過性素材１１１の製造方法を、それぞれ示す。この天然木質光透過性素材１１１は、光透過性母材１２５と突板１２１の間に、繊維要素を持つ材料からなる薄いシート部材、例えば突板材と同様の伸縮性を持つ和紙１２４を挟み込み、透過性母材１２５及び突板１２１と共に接着剤１２７で一体に貼り合わせたものである。この状態で、光源１２６より突板１２１の背面から光を与えると、木質の持つ木目模様、色模様を透過光を利用して見ることができる。
【０００７】
従来例１では和紙１２４の表裏面と接着する２面のうち、１面が木質系の突板１２１、もう１面は光透過性母材１２５として、主に高分子化学製品のプラスチック板、化学繊維織布等が挙げられている。よって材質が異なるため、和紙と２種の材質との接着性に差が生じたり、複数の接着剤を必要とする場合があった。
【０００８】
図８はさらに、天然木質光透過性素材１１１の他の例として、複数の突板を他の突板に象眼した例を示す図である。これは、別の風合いを持つ天然木突板１種〜数種類（１３１、１３２、１３３）を各種の絵模様、文字などの形１３１ａ、１３２ａ、１３３ａに切り取り、下地となるべき突板１３４から同じ形状１３４ａを除去し、絵模様１３１ａ、１３２ａ、１３３ａを象眼したものである。これにより、単一部材での天然木質光透過性素材の要素に一層の芸術性、意匠を持たせ、天然木材の風合いや色合いを際立たせることができる。しかしながら、この天然木質光透過性素材は非照明の場合でも象眼されていることが露呈されているため、意外性に欠ける。また不特定の人々に有意なサインを伝えることを目的とはしていない。
【０００９】
一方、夜間や外部照明のない状態においても突板の自然の木目を十分に生かすことができる、装飾効果の高い発光装飾体や発光装飾装置が開発されている（特許文献２参照）。
【００１０】
図９は従来例２として、このような発光装飾装置の分解斜視図を示す。この発光装飾装置は、突板１４２の表面もしくは裏面に保護層１４１として透明な樹脂シートを形成する。また突板は複数枚１４２、１４３重ねて用いており、一部の突板１４３に所望形状の窓を設けることによりマスキング処理を施す。さらに突板１４２、１４３の裏面側に配置された導光体１４５にはＬＥＤ光源１４４が収納されている。このＬＥＤ光源１４４より光が与えられると、窓を設けた部分と設けない部分との光の透過率が異なるため、窓に対する突板表面部分が明るく表示されることになる。マスキング処理を非透光性のものにすれば、内部に文字等を浮かび上がらせることもできる。
【００１１】
しかしながら、この発光装飾装置で文字等を浮かび上がらせると、模様等のマスキング処理を施した非透光性の中間層もしくは突板１４３の厚みから生じる光ムラが生じることがあった。また、保護層１４１は突板を保護することを目的にしており、保護層１４１を設けない場合、あるいは保護層の種類によっては、突板１４２、１４３の反りが発生する問題があった。反りが生じると、戸の開閉に悪影響を与えるおそれがある。また反りが大きくなると接合面の接着性が悪くなり、強度が低下するという問題もある。このため突板１４２、１４３と導光体１４５との接着性に問題が生じるおそれがあった。
【００１２】
また、この発光装飾装置は突板の裏面全てに均一な光を与える。従って、突板の面積が大きくなるに従い、必要となる光の照射面積も大きくなる。戸は少なくとも人が出入りできる程度の大きさであるため、戸全体を照射するには、光源から多大な光量を必要とし、コストがかさむ。特に発光装飾装置は、ＬＥＤ光源を使用しており、このＬＥＤが発熱源となる。一般にＬＥＤは白熱電球などに比して高効率で発熱が低いといわれるが、指向性が強く照明用としては光量が不十分である。このため現状では、光量を稼ぐために複数のＬＥＤを並べて配置する必要がある。複数のＬＥＤを並べて発光させると、消費電力が大きくなり発熱量も増え、何らか放熱機構が必要となる。また熱が高いと反りが大きくなり歪みが拡大されて戸の開閉に支障を来したり、接合面の接着性がさらに悪くなり強度が低下するといった問題もあった。
【特許文献１】特開平８−２６７６６７号公報
【特許文献２】特開２００２−２０５５００号公報
【発明の開示】
【発明が解決しようとする課題】
【００１３】
本発明は、従来のこのような問題点を解消するためになされたものである。本発明の第１の目的は、所望形状の光が表面層に浮かび上がり、不特定多数の人に有意なサインを知らせるパターン発光機能付き戸を提供することにある。また、第２の目的は、接着性を改善し強度を向上させたパターン発光機能付き戸を提供することにある。
【課題を解決するための手段】
【００１４】
上記の目的を達成するために、本発明の第１のパターン発光機能付き戸は、背板と、発光装置と、ファイバーボードと、ＰＥＴ樹脂シートと、突板とが、この順に固定される。発光装置を発光させることによって突板の表面に所望のパターンを浮かび上がらせるように発光させることが可能なパターン発光機能付き戸であって、ファイバーボードが発光装置と対向する側の面に、紙を含む反り防止シートを固定しており、ＰＥＴ樹脂シート、ファイバーボード、反り防止シートはほぼ等しい大きさである。ファイバーボードには所望の発光させたいパターンの形状に開口部が形成され、発光装置はＬＥＤ光源を備えており、発光装置は、背板上に配置され、かつ、ファイバーボードの開口部に投光できる位置に固定されている。
ＬＥＤ点灯時、ＬＥＤ光源から突板方向への光が、反り防止シート、前記ファイバーボードの開口部、ＰＥＴ樹脂シート、突板の順に透過され、これにより開口部の形状に従い、光のパターンが突板上に表示されるよう構成されてなることを特徴とする。
【００１５】
また、本発明の第２のパターン発光機能付き戸は、光が点滅または、一定時間経過後に自動消灯するように構成されていることを特徴とする。
【００１６】
さらにまた、本発明の第３のパターン発光機能付き戸は、反り防止シート４が、紙製シートとＰＥＴ樹脂製シートから構成される多層シートであることを特徴とする。
【００１７】
さらにまた、本発明の第４のパターン発光機能付き戸は、ＬＥＤ光源５ａが、反り防止シート４の主面とほぼ平行になるよう配列され、ＬＥＤ光源５ａからの光が、突板１方向へほぼ直向されることを特徴とする。
【００１８】
さらにまた、本発明の第５のパターン発光機能付き戸は、発光装置５に導光板１５ｃを備え、導光板１５ｃは、反り防止シート４に面する発光面１５ｅと、発光面１５ｅと垂直なる側面１５ｆを備え、側面１５ｆを、ＬＥＤ光源５ａの光入射面とすることを特徴とする。
【発明の効果】
【００１９】
第１発明によれば、所望の文字や図柄等が戸の表面に浮かび上がることで、戸を備える室内の様子を知らせる効果を奏する。第１発明の戸は、消灯時は全くサインパターンが見えず、木製の戸そのものの風合いであり、通常の戸と変わらず使用できる。一方、パターン発光させると文字などのサイン部分を目立たせることができる。このように、消灯時にはサインパターンを隠すことで意外性を奏し、このことでさらにサインを引き立たせて注目させる効果が得られる。
【００２０】
第２発明によれば、点滅または一定時間経過後に自動消灯させることで、ＬＥＤの余分な発熱を防止し、低消費電力を抑えてランニングコストを低減できる。また、点滅することで文字等をさらに目立たせる効果も得られる。
【００２１】
第３発明によれば、反り防止シートとして、複数の紙製シートにＰＥＴ樹脂製シートを挟み込んだ多層シートを用いる。これにより、薄い部材の反りと発光ムラの両方を防止する効果を高めることができる。またＰＥＴ樹脂製シートを介在させることで、紙製シートと隣接するファイバーボードとの接着性を改善できる。
【００２２】
第４発明によれば、発光装置のＬＥＤ光源からの光が突板方向へほぼ直向されるため、高い輝度の光を得られる効果を奏する。このため、遠方からでも視認性を高くでき、サイン等に有益である。
【００２３】
第５発明によれば、導光板の側面から光を入射し反射させることで面状光源を構成できるので、ＬＥＤの使用個数を少なくでき、低消費電力として発熱を抑えることができる。
【発明を実施するための最良の形態】
【００２４】
以下、本発明の実施の形態を図面に基づいて説明する。ただし、以下に示す実施の形態は、本発明の技術思想を具体化するための、パターン発光機能付き戸を例示するものであって、本発明は、パターン発光機能付き戸を以下のものに特定しない。さらに、本明細書は、特許請求の範囲を理解しやすいように、実施例に示される部材に対応する番号を、「特許請求の範囲」、及び「課題を解決するための手段の欄」に示される部材に付記している。ただ、特許請求の範囲に示される部材を、実施例の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
また、本発明において戸とは、戸のみならず戸枠あるいはその近傍も含む意味で使用する。
【実施例１】
【００２５】
（ＬＥＤ直視型）
図１に、本発明の一実施例によるパターン発光機能付き戸１０の分解斜視図を、図２は、図１の戸の戸面に対する垂直方向の断面図を、それぞれ示す。このパターン発光機能付き戸１０は、突板１ーＰＥＴ樹脂シート２ーファイバーボード（以下「ＭＤＦ」と表記する）３ー反り防止シート４ー発光装置５ー背板６の順に構成されている。
【００２６】
ＭＤＦ３は所望の文字、数字、記号、図柄、絵、マークやこれらの組み合わせ等が切り抜かれた開口部を３ａを備える。ＰＥＴ樹脂シート２、ＭＤＦ３及び反り防止シート４は、ほぼ等しい大きさとする。突板１、ＰＥＴ樹脂シート２、ＭＤＦ３及び反り防止シート４の個々相対する両面、もしくは片面に、酢酸ビニル系の接着材が塗布されて接着される。このようにして図１、２に示すように、突板１ーＰＥＴ樹脂シート２ーＭＤＦ３ー反り防止シート４の順に張り合わされる。
【００２７】
また、背板６には発光装置５が固定されており、発光装置５内にはＬＥＤ光源５ａが備えられる。また、図２に示すように反り防止シート４と背板６は、発光装置５を挟み込む構造となる。さらに、発光装置５は、ＭＤＦ３の開口部３ａに投光できる背板６上の位置に固定される。反り防止シート４と背板６は接面してもよいし、反り防止シート４と背板６との間に透光性基板または発光波長変換層などを介することもできる。また、合板、スペーサー等を介して戸の厚みを調節してもよい。さらにまた、背板６は戸の表層とは限らず、中間層等とすることもできる。
【００２８】
ＬＥＤ点灯時、発光装置５内のＬＥＤ光源５ａから突板１方向へ光が与えられる。この光が反り防止シート４、ＭＤＦ３の開口部３ａ、ＰＥＴ樹脂シート２及び突板１を透過し、開口部３ａの形状を持つ光が突板１に浮かび上がる構造となっている。次に個々の部材について説明する。
【００２９】
（突板）
突板１は木目などの美しい天然木を板面にそって削いで薄板にしたものである。突板の厚さは後述のＬＥＤ光源から出射された光が透過可能なものであれば特に限定されない。実施例１では厚さ０．２ｍｍの突板を使用する。突板１は木目の色調の濃淡の差が少ないものが好適である。このような突板１を採用すれば、光源５ａから光を照射した際、突板上に表示される光のムラを回避できる。
【００３０】
（ＰＥＴ樹脂シート）
ＰＥＴ樹脂シートを構成するＰＥＴ樹脂（polyethylene terephthalate樹脂：ポリエチレンテレフタレート樹脂）は、透光性があるため導光作用が高い。また、耐衝撃性を備えるため、突板１及びＭＤＦ３の破断を防ぐ。また、本発明で使用する酢酸ビニル系の接着材との接着性が良く、強固な戸となる。さらにコストが安く、全体の製造コストを下げられる。加えて、ＰＥＴ樹脂シート２の表裏面が接面する突板１とＭＤＦ３に次のような好影響を及ぼす。
【００３１】
（１）突板１に対して
突板１は、意匠面である表面と、表面と対向する裏面を備える。突板１の裏面にＰＥＴ樹脂シート２が接着されるため、突板１の意匠面には木材の風合い、手触り、香り、木目など木の特長がそのまま残される。
【００３２】
（２）ＭＤＦ３に対して
また、ＰＥＴ樹脂シート２は、ＭＤＦ３の開口部３ａの形状が、突板１の表面に透けるのを防ぐ。ＰＥＴ樹脂シート２は、その厚さや透過度を、ＭＤＦ３の厚さに応じて調整することにより、発光装置５からの光を拡散させて開口部３ａの形状の輪郭が視認できないようにできる。好ましくはＰＥＴ樹脂シート２の厚さとＭＤＦ３の厚さの比は、１：２．４〜１：５．４の範囲とする。この範囲におけるＭＤＦ３の厚みであれば、光源５ａから突板１方向へ光を照射した際に、ＭＤＦ３の開口部３ａの形状に従った光のパターンが突板１上に鮮明に映る。逆に、ＰＥＴ樹脂シート２に対するＭＤＦ３の厚みを、上記比よりも大きくすれば、ＭＤＦ３の厚みにより生じるＭＤＦの開口部３ａの影が、突板１上に映り込む可能性が高くなる。
【００３３】
さらにＰＥＴ樹脂シートは、接面している突板１及びＭＤＦ３を保護する効果も有する。突板１及びＭＤＦ３は、その主面に対して垂直方向にかかる衝撃により破断することがある。突板１において、ＭＤＦの開口部３ａに対面する領域は、さらに耐衝撃性が低いため破損しやすい。ＰＥＴ樹脂シート２は、このような弱い部分を補強する効果も果たす。このようにＰＥＴ樹脂シートは突板１の意匠面の木の特長を保持しつつ、突板１及びＭＤＦ３を保護する。
【００３４】
（ＭＤＦ）
ＭＤＦ（medium-density fiberboard：中質繊維板）は、主として木材を解繊し、これを成形して板状にしたものである。強度が高く、曲げ、穴あけなどの二次加工が容易にできるので、所望の字、図柄、模様等を容易に切り抜くことができる。さらに、非透過性であるため、所望の字等の開口部３ａをＬＥＤ光が透過し、閉塞部は光が透過しない。このようにＭＤＦは光の透過部と非透過部との差が明確であり、所望の形状のパターンに発光させるのに好適である。
【００３５】
（ＭＤＦの寸法変化）
ＭＤＦは、室内の温度変化や湿度変化による寸法の変化が一般的な合板より大きい。よってＭＤＦと一体に構成される突板に、反りや突き上げ、クラックなどの異常が発生し易いという問題がある。この問題は後述する反り防止シート４により解決される。
【００３６】
（部材の反り）
また、上記寸法変化に加え、周囲の環境により各部材の反りが発生する問題もある。製造時および使用時に含水率変化が起こる状況に置かれると、例えば、製造時には接着剤の塗布による含水率の増加や接着のためのプレスによる含水率の減少、また、使用時においては、ＬＥＤ点灯時におけるＬＥＤ光源からの発熱によって、含水率の変化が起こり易い傾向にある。このとき、戸を構成する複数の材料の含水率変化に伴う寸法変化が異なる場合、反りが発生することが予想される。
【００３７】
（反り防止シート４）
上記部材の寸法変化や反りを回避するため、反り防止シート４が用いられる。反り防止シート４は、戸を構成する寸法変化や反りを防ぎ、また、発光装置からの光を均一にする役割を果たすものであれば特に限定されないが、長繊維構造を持つ和紙が好適である。和紙は、ウゾ、ガンピ、ミツマタなどの植物の靱皮繊維を原料に漉かれた手漉きの紙である。この和紙は、長い繊維同士が緊密に絡み合っているため、折ったり引っ張ったりしても絡み合いが容易に解けず、繊維が抜けないため薄くても丈夫であり、耐久性に優れる。
【００３８】
（防湿シート）
実施例１では反り防止シート４として、紙製シートとＰＥＴ樹脂製シートから構成される多層シートを用いる。多層シートとして、図３に示す例では防湿シート１４を用いた。この防湿シート１４は３層構造になっており、中央のＰＥＴ樹脂製シート１４ｂの表裏面に紙製シート１４ａが接着される。紙製シートには和紙が好適に使用される。実施例１では防湿シート１４としてＶＳシート（凸版印刷製）を使用した。ＶＳシートは中央層のＰＥＴ樹脂製シート１４ｂの表裏面を白色和紙１４ａで挟んだものである。これにより和紙とＰＥＴ樹脂製シートの両効果を備える。また、大日本印刷製のＶＲシートを使用することもできる。
【００３９】
防湿シート１４の表面層にある白色和紙１４ａは、上述の効果に加え、光の拡散作用を持つ。また光源からの光の通過量を均一化するフィルターの役目をする。さらに、ＭＤＦ３を切り抜いて成形した文字等の開口部の影が、突板１の表面に浮かび上がるのを防ぐ効果も奏する。つまり成形ＭＤＦ３の厚みにより生じる光のムラを抑える。さらにまた、ＬＥＤの配置パターンが視認面に表出することも回避できる。とくに、直視型ＬＥＤでは複数個のＬＥＤを並べて配置するため、ＬＥＤの強い指向性と相俟ってパターンが表出しやすい。このような直視型ＬＥＤに対して防湿シート１４は高品質な発光を得るために有効である。
【００４０】
また、防湿シート１４により突板１、ＰＥＴ樹脂シート２、ＭＤＦ３が反るのを防止する効果が生じる。接面する層に塗布された余分の接着材を防湿シート１４で吸い込み、接着材の塗布ムラのしみ模様を消すことができる。
【００４１】
さらに、防湿シート１４の中央層のＰＥＴ樹脂製シート１４ｂは上述した導光性、耐衝撃性の効果に加え、耐熱性があり、熱変形され難いため、接面する発光装置５からの熱による影響を抑えられる。
【００４２】
反り防止シートに和紙などをそのまま使用すると、ＭＤＦ３に反り防止シートを貼付する際、薄い和紙製反り防止シートの一部が折りたたまれたり、ＭＤＦとの接着面に空気が入ったり、反り防止シートにしわが入る等の原因で反り防止シートが均一に貼付できないことがある。これに対し、防湿シートを反り防止シートに使用すれば、中央層のＰＥＴ樹脂シート１４ｂが芯材の役目を果たす。つまり和紙１４ａの巻き戻りを防ぎ、和紙１４ａを扱い易くできるので、和紙１４ａと突板１、また和紙１４ａとＭＤＦ３とを均一に、かつ緊密に接着することができる。このように防湿シートがＰＥＴ樹脂シート１４ｂを含む３層構造となることで、戸が強固に安定する上、紙のしわムラによる光ムラを回避できる。
【００４３】
ところで、上述した従来例１のように、和紙の表裏面と接着する２面の等材質が異なれば、和紙と２種の材質との接着性に差が生じたり、接着材の種類が複数必要な場合が生じる。実施例１の防湿シート４の表裏面は、ＭＤＦ３と発光装置５に面し、ＭＤＦ３とは接着材を介して接着される。ＭＤＦ３は木質であるため、防湿シート４の表面層である和紙との接着性が良い。この結果、防湿シート４とＭＤＦ３とが強固に接着され頑丈な戸となる。さらに、防湿シートにおいて、発光装置５と面するもう片面側には接着材が塗布されないため、手間とコストを省ける。
【００４４】
実施例１では厚さ０．２ｍｍの突板、厚さ１ｍｍのＰＥＴ樹脂シート、厚さ２．５ｍｍのＭＤＦ、厚さ０．３ｍｍの防湿シートを使用している。これらは一例であり、全体の厚さやＬＥＤの発光強度等に応じて各部材の厚さを設定する。例えばＰＥＴ樹脂シートは、０．５ｍｍ〜１．２ｍｍの範囲で、ＭＤＦは２．４〜２．７ｍｍの範囲に調整する。
【００４５】
（接着剤）
実施例１の複数部材の接着に、樹脂製接着材やシアノアクリレート等、各部材を安定して接着できるものであれば各種接着材を採用できる。また複数の接着材を使用してもよい。中でも、酢酸ビニル系の接着材が好適である。これは突板１とＭＤＦ３との間に狭持されて接着されるＰＥＴ樹脂シート２において、ＰＥＴ樹脂シート２と突板１及びＭＤＦ３との接着性に優れるためである。具体的に言えば、酢酸ビニル系の接着材を使用した場合、上述した従来例２の発光装置で採用される保護層１４１とその次層である突板１４２との接着性よりも優れている。図９に示す従来例２の発光装置では、保護層１４１の例としてアクリル、ポリカーボネートなどの透明樹脂シート等を使用している。酢酸ビニル系の接着材において、実施例１で使用する突板１とＰＥＴ樹脂シート２との接着性は、従来例２の突板とアクリル、または突板とポリカーボネートの接着性よりも優れている。また実施例１では、ＰＥＴ樹脂シート２の表裏面とも、木質部材である突板１及びＭＤＦ３に接着させるため、複数種類の接着材を必要とせず、一の接着材でこれらを固定できる利点も得られる。
【００４６】
（発光装置）
図４は図１に係る一部拡大分解図であり、ＭＤＦ３、防湿シート１４及び発光装置５を示す（なおこの図において、突板１、ＰＥＴ樹脂シート２、背板６の図示は省略する）。発光装置５は、少なくともＭＤＦ３の開口部３ａを全て閉塞できる面積を持つ基板５ｂからなり、基板５ｂ上にＬＥＤ光源５ａが配置されている。基板５ｂは、ガラスエポキシ基板やフレキシブル基板等とする。また熱伝導率に優れたセラミック基板を使用してもよく、これにより放熱性を向上できる。
【００４７】
（ＬＥＤ光源）
ＬＥＤ光源５ａは砲弾型、表面実装型等、各種ＬＥＤを採用できるが、厚さが薄く、よって戸の薄型化が可能な表面実装型ＬＥＤが好適である。ＬＥＤは低電圧、低電流で駆動できるため低消費電力となり、ランニングコストを下げられる。また高輝度である上、赤・緑・青色の３色光を適当な割合で混合すれば、さまざまな色を再現できる。さらに、ＬＥＤは堅牢で耐衝撃性に優れるため、開閉によって可動し衝撃も生じる動的な戸への利用に好適である。また、長寿命であるため光源を取り替える手間やコストを低減でき、メンテナンスフリーを実現できる。さらに、発熱量が小さいため周囲の部材への熱的影響が比較的小さい。なお実施例１では、基板５ｂ上に表面実装型ＬＥＤ光源５ａが戸の表裏面と平行、かつマトリックス状に配列される。ＬＥＤ光源５ａの配置に関しては後述する。
【００４８】
（ＬＥＤ光源の配置）
ＭＤＦ３の開口部３ａは所望の形状とできる。ここでは説明のため、実施例１におけるＭＤＦ３の開口部３ａを使用して説明する。実施例１ではＭＤＦ３から「会議中」の３文字が切り取られている。ＬＥＤ光源は１枚の基板５ｂ上にマトリックス状に並べられる。その配列位置は、開口された１文字を覆う最小限の略四角形状の領域内を少なくとも持つものとする。実施例１の発光装置５は、まず、開口された１文字「会」を全て被覆する略四角形状領域に、縦５個×横６個＝計３０個のＬＥＤ光源群がマトリックス状に配置されている。同様に、１文字「議」に対応する３０個のＬＥＤ光源が、「会」に対応する３０個のＬＥＤ光源群と並列に配置される。さらに同様に１文字「中」に対応する３０個のＬＥＤ光源群も、これらと並列に配置される。つまり１枚の基板５ｂ上に、ＭＤＦ３の開口部１文字分に対応する３０個のＬＥＤ群が、３つ並列に設置されている。これにより、一の発光装置５で様々な文字やパターンを形成したＭＤＦ３に対応できる。
【００４９】
あるいは、基板を一枚とせず、各文字毎に用意することもできる。またＬＥＤも、文字毎に用意するのでなくパターン全体として用意してもよい。あるいは、ＭＤＦの開口部３ａに対応する位置のみにＬＥＤ光源を線状に配置することも可能である。これによりＬＥＤ光源の個数を最小限にできる。なおＬＥＤの使用個数は、表示するサインパターンの大きさや必要な光量などに応じて、適宜設定される。またＬＥＤは電流制御素子であるため、電流量によって発光量を調整できる。
【００５０】
ＭＤＦ３の開口部が図柄等の場合、基板５ｂにおいて、ＭＤＦ３の開口部を全て覆う略四角形状の領域にＬＥＤ群を配列してもよい。あるいは、基板５ｂにおいて、ＭＤＦ３の開口部を全て覆う略四角形状の領域を分割し、個々の領域内にＬＥＤ群を各々配列してもよい。また、分割された領域内とほぼ同じサイズの基板５ｂにＬＥＤ群を配列し、それを複数用意したものを一体に構成してもよい。
【００５１】
（反射枠）
また、図４に示すように、複数のＬＥＤ光源５ａを備えた発光装置５には反射枠５ｃが設置されている。反射枠５ｃは反射率の高い白色や銀色が好適である。また反射枠５ｃはＬＥＤの熱で変形しないよう、耐熱性を備える素材で構成する。実施例１では加工がしやすく、また反射率、耐熱性に優れたＰＥＴ樹脂製のものを用いる。反射枠５ｃは、略短冊型の平行な２組の対面同士が垂直に連結されたほぼ四角形状の枠である。枠の高さは、少なくとも基板５ｂに設置されたＬＥＤ光源の高さ以上に形成される。反射枠５ｃはＬＥＤ光源５ａがＭＤＦ３の開口域以外の領域に光が散乱するのを防ぐ壁の役目を果たし、光の取り出し効率を向上させる。
【００５２】
また、反射枠５ｃの配置位置は、ＭＤＦ３の開口１文字分に対応するＬＥＤ群を取り囲むように設置される。さらに別個１文字分に対応するＬＥＤ群を取り囲むよう、かつ、既に設置されている反射枠に並列になるよう配置される。これをＭＤＦ３の開口文字の数だけ繰り返す。あるいは、文字等の開口部全体に対応する全ＬＥＤ群を一度に取り囲むよう、単一の反射枠を設置してもよい。また反射枠５ｃと基板５ｂが安定して固着すれば、その固着方法は特に限定されない。実施例１では、反射枠５ｃの１組の対面の端辺にそれぞれ面を延設し、その延設された面に接着材や留具を介して基板に固着している。
【００５３】
さらに反射枠５ｃは、少なくとも１面に複数の放熱穴５ｅを備えている。熱は上方に向かうため、放熱穴５ｅは上面に位置する反射枠に設けるのが好ましい。この放熱穴５ｅは、ＬＥＤ光源５ａからの発熱を反射枠５ｃの外に放出する役割を担う。
【００５４】
（放熱）
また、図示しないが、ＬＥＤの発熱を戸の外部に放出するため、背板や戸の一部に開口部を設けることも可能である。また、ヒートシンクを設けて、さらに放熱性を高めることもできる。あるいは、ＬＥＤの発熱を外部に熱伝導させる熱伝導経路を戸の内部に設けてもよい。例えば、戸の開閉に使用する蝶板などの金属部材に接するように熱伝導リードを配することで、既存の部材を利用して効果的な放熱が図られる。このように、ＬＥＤの放熱性を考慮した設計とすることで、ＬＥＤを安定して動作させ、信頼性の向上と長寿命化を図ることができる。
【００５５】
（筐体）
さらに、図４に示すように、基板５ｂは筺体５ｄに収納される。実施例１の筺体５ｄは、熱伝導性に優れた部材で構成し、好ましくはアルミニウム板金とする。筐体５ｄ内部のアルミニウム面がＬＥＤ光源からの光を反射し防湿シート方向へ光を効率的に導光できる。また、アルミニウムは放熱作用があるため、ＬＥＤからの発熱を筐体外へ放出するのを促進させる。これにより、ＬＥＤの輝度の安定及び長寿命化が図られる。また、ＬＥＤ光源５ａからの発熱を筐体の外へ放出させるため、筐体に適宜穿孔することも好適である。
【００５６】
筐体を有する構成は一例であって、その他の構成も適宜採用できる。例えば筺体を基板兼用し、反射作用または、もしくはこれに加えて耐熱性のある素材で筺体５ｄを形成し、その内部にＬＥＤ光源５ａを配置してもよい。または、筺体５ｄ、基板５ｂ、反射枠５ｃの３部材を一体に構成してもよいし、一の部材が他の部材の効果を兼用もしくは相乗効果を生じさせることも可能である。この場合、部品数を減らすことができる。また、スイッチを電気的に接続し、光を点滅、または一定時間経過後に自動消灯させることもできる。これによりＬＥＤ光源からの余分な発熱を防止したり、長時間にわたる点灯による電力消費を低減させることができる。
【００５７】
（戸の最終形状への加工）
上記複層からなる戸に引手、取っ手、ハンドル、押板、錠、戸車、レール、ちょうつがい等所望の部品を備え、戸の最終形状へと加工する。実施例１の戸は、引戸、吊戸、間仕切り戸、パーテション、折戸等、戸の種類は特に限定されない。
【００５８】
（光表示部）
さらに、所望の文字や図柄等の形状を持つ光の表示部は、戸の表層に限らない。突板を貼ることができる場所なら特に限定されない。また、図示しないが、戸枠、戸の上、戸の下、戸の脇の壁、床など戸の近傍に、所望形状の光表示部を埋め込むこともできる。
【００５９】
ところで、実施例１の表面実装型ＬＥＤ光源は直視型であるため高輝度の光源が確保できる。しかし、ＭＤＦ３の開口部の大きさに比例して、必要なＬＥＤ光源の数が増える。よってＭＤＦ３の開口部の形状によってはＬＥＤ光源の消費電力が増し、これに従ってＬＥＤ光源の寿命が短縮されることがある。
【実施例２】
【００６０】
（ＬＥＤ側面型）
上記実施例１に対して、ＬＥＤ光源の数量を減らすことのできるパターン発光機能付き戸の実施例２を示す。図５は防湿シート１４及び、実施例２で使用する発光装置１５である（突板１、ＰＥＴ樹脂シート２、ＭＤＦ３及び背板６の図示は省略する）。発光装置以外の部材、かつ部材の積層順は実施例１と同じである。実施例２の発光装置１５は、導光板１５ｃと、導光板１５ｃを収納する筺体１５ｄからなる。また、導光板１５ｃは発光面１５ｅを備える。発光面１５ｅは、防湿シート１４と対面し、かつ、防湿シートへ光を出射する面である。また、導光板１５ｃは、発光面１５ｅと垂直な側面１５ｆを備える。側面１５ｆに単数または複数のＬＥＤ光源１５ａが設置される。ＬＥＤ光源１５ａは砲弾型、表面実装型等その種類は限定されないが、戸の厚さや使用状況等によってＬＥＤ光源を選択できる。
【００６１】
ＬＥＤ点灯時、側面１５ｆから導光板１５ｃ内に光が出射される。光は導光板１５ｃにより拡散、散乱され、発光面１５ｅへと導光される。さらに発光面１５ｅからの光が、防湿シート１４、ＭＤＦ３の開口部３ａを透過する。これによりＭＤＦ３の開口部形状からなる光が、突板１に浮かび上がる構造になっている。
【００６２】
（導光板）
実施例２の導光板１５ｃは、デラグラス（商標登録）ＡＬ９９５（旭化成製）を使用している。デラグラスはメタクリル樹脂に光散乱剤を加えたものである。デラグラス（商標登録）ＡＬ９９５（旭化成製）は、反射板を用いずとも光の拡散率が高く輝度が高いので、反射板を省略して構成を簡素化できる。また発光ムラも低減できる。
【００６３】
ただ、さらに輝度を高めるため、発光面１５ｅと対向する底面１５ｂ側に光反射層を設けることも可能である。これにより導光板１５ｃの側面１５ｆから出射された光が、底面１５ｂに反射し、効率よく発光面１５ｅ側に反射集光される。よって発光面１５ｅから、より輝度の高い光を突板１方向へ出射でき、突板１に浮かび上がるＭＤＦ３の開口部形状の光の輝度が上がる。
【００６４】
光反射層は白色の薄いシートや金属シートなど反射率の高い材質が好適に利用できる。あるいは、発光面１５ｅもしくは底面１５ｂの表面層や裏面層を加工して光の反射率を高めることも可能である。または、表面層や裏面層を加工したシートを発光面１５ｅや底面１５ｂに接着してもよい。
【００６５】
（筐体）
導光板１５ｃを収納する筐体１５ｄの材質は、実施例１同様、反射作用や耐熱性を備える素材が適宜利用できる。実施例２の筐体１５ｄはアルミニウム板金製である。アルミニウムは光を反射する。導光板１５ｃが筐体１５ｄに収納され、導光板１５ｃの側面１５ｆからＬＥＤ光源の光が出射された際、筐体１５ｄの内部のアルミニウム板金が光を反射する。すなわち筐体１５ｄが導光板１５ｃの収納の役割と光反射層の役割とを兼用できる。
【００６６】
（戸の表裏面に光を表示）
また、所望の文字や図柄等の形状に従った光を、戸の表裏面の両面に同時に表示させることも可能である。発光装置の表裏面に対向するよう、２組の部材が発光装置を挟んで、各々対称に固定されている。つまり、単一の発光装置の表裏面に対向するよう、発光装置に近い側から、反り防止シート４、所望の開口部を備えるＭＤＦ３、ＰＥＴ樹脂シート２、突板１が、この順で固定されている。この状態で、発光装置の側面からＬＥＤ光源を入射し、そのＬＥＤ光源を、発光装置の表裏面から両面発光させる。これにより、ＬＥＤ光源は反り防止シート４、ＭＤＦ３の開口部３ａ、ＰＥＴ樹脂シート２、突板１を透過し、ＭＤＦ３の開口部の形状に従った光のパターンが両突板１に表示される。これにより、戸を挟んで表面側と裏面側に有意な文字、図柄等を同時に報知させることができる。単一の戸に設置される両ＭＤＦ３の開口部の形状は同一でも良いし、異なっていてもよい。
【００６７】
戸の最終形状への加工工程、及び、所望の形状を持つ光の表示場所については実施例１と同様であるので説明を省略する。
【産業上の利用可能性】
【００６８】
本発明のパターン発光機能付き戸は、センサーと連動させて、訪問者が来たことや電話がかかってきたこと知らせる等、遠隔地にサインを送ることができるメッセージボードとして適用できる。
【図面の簡単な説明】
【００６９】
【図１】実施例１に係るパターン発光機能付き戸の分解斜視図である。
【図２】図１の戸であって、戸面に対して垂直方向の断面図である。
【図３】実施例１に係る要部拡大分解図である。
【図４】実施例１に係る要部拡大分解図である。
【図５】実施例２に係る要部拡大分解図である。
【図６】従来の天然木質光透過性素材の外観斜視図である。
【図７】図６の天然木質光透過性素材の製造方法を示す図である。
【図８】従来の天然木質光透過性素材の一例を示す図である。
【図９】従来の発光装飾装置の実施例の分解斜視図である。
【符号の説明】
【００７０】
１…突板
２…ＰＥＴ樹脂シート
３…ファイバーボード
３ａ…開口部
４…反り防止シート
５…発光装置
５ａ…ＬＥＤ光源
５ｂ…基板
５ｃ…反射枠
５ｄ…筺体
５ｅ…放熱穴
６…背板
１０…パターン発光機能付き戸
１４…防湿シート
１４ａ…和紙
１４ｂ…ＰＥＴ樹脂シート
１５…発光装置
１５ａ…ＬＥＤ光源
１５ｂ…底面
１５ｃ…導光板
１５ｄ…筺体
１５ｅ…発光面
１５ｆ…側面
１１１…天然木質光透過性素材
１２１…天然木質突板
１２４…和紙
１２５…光透過性母材
１２６…光源
１２７…接着層
１３１…突板
１３１ａ…絵模様、文字などの形
１３２…突板
１３２ａ…絵模様、文字などの形
１３３…突板
１３３ａ…絵模様、文字などの形
１３４…突板
１３４ａ…絵模様、文字などの形
１４１…保護層
１４２、１４３…突板
１４４…光源ユニット
１４５…導光体
【図１】
2007271862.tif 000003
【図２】
2007271862.tif 000004
【図３】
2007271862.tif 000005
【図４】
2007271862.tif 000006
【図５】
2007271862.tif 000007
【図６】
2007271862.tif 000008
【図７】
2007271862.tif 000009
【図８】
2007271862.tif 000010
【図９】
2007271862.tif 000011